(57)【要約】      （修正有）【課題】展示対象商品を強固に固定することができる商品展示具用固定具を提供する。【解決手段】商品展示具用固定具１０は、雄側基部２１と係合爪部２２を有する雄部材２０と、雌側基部と係合溝部３７を有する雌部材３０と、を有している。係合爪部２２と係合溝部３７が係合するとともに、雄側基部２１と雌側基部が展示対象商品４０を挟んだ互いに反対側に位置することで、雄部材２０と雌部材３０の間に展示対象商品４０を固定する。【選択図】図６
0003226215.tif 000002
【実用新案登録請求の範囲】
【請求項１】
雄側基部と係合爪部を有する雄部材と、
雌側基部と係合溝部を有する雌部材と、
を有し、
前記係合爪部と前記係合溝部が係合するとともに、前記雄側基部と前記雌側基部が展示対象商品を挟んだ互いに反対側に位置することで、前記雄部材と前記雌部材の間に前記展示対象商品を固定する、
ことを特徴とする商品展示具用固定具。
【請求項２】
前記係合爪部と前記係合溝部の係合領域の内部に入り込んだ前記展示対象商品の舌部を前記係合爪部と前記雌側基部が挟持する、
ことを特徴とする請求項１に記載の商品展示具用固定具。
【請求項３】
前記雄部材は、係合突起を有し、
前記展示対象商品とは別の展示対象商品の係合孔に前記係合突起が係合されるとともに、前記別の展示対象商品が前記雄側基部に巻き付けられる、
ことを特徴とする請求項１又は請求項２に記載の商品展示具用固定具。
【考案の詳細な説明】
【技術分野】
【０００１】
本考案は、商品展示具用固定具に関する。
【背景技術】
【０００２】
非特許文献１には、商品自体や商品サンプルを展示する商品展示具に用いられる商品展示具用固定具が開示されている。この商品展示具用固定具は、商品展示具の可動式の部位を当該商品展示具の他の部位に固定するために用いられる。また、商品展示具用固定具は、例えば、商品展示具としての商品陳列棚の開閉式の棚を商品陳列棚の本体に固定するために用いられる。具体的に、商品陳列棚の棚に雄部を組み込み、商品陳列棚の本体に雌部を組み込み、雄部の端部を雌部の溝部に差し込むようにして係合固定し、もって棚を本体に固定する。
【先行技術文献】
【非特許文献】
【０００３】
【非特許文献１】意匠登録第１５１８１０２号公報
【考案の概要】
【考案が解決しようとする課題】
【０００４】
しかしながら、非特許文献１の商品展示具用固定具は、商品陳列棚の棚と雄部が外れ、且つ／又は、商品陳列棚の本体と雌部が外れるおそれがあり、この場合、商品展示具用固定具としての機能が喪失されてしまうという問題がある。
【０００５】
本考案は、上記の問題意識に基づいてなされたものであり、展示対象商品を強固に固定することができる商品展示具用固定具を提供することを目的とする。
【課題を解決するための手段】
【０００６】
本考案の商品展示具用固定具は、雄側基部と係合爪部を有する雄部材と、雌側基部と係合溝部を有する雌部材と、を有し、前記係合爪部と前記係合溝部が係合するとともに、前記雄側基部と前記雌側基部が展示対象商品を挟んだ互いに反対側に位置することで、前記雄部材と前記雌部材の間に前記展示対象商品を固定する、ことを特徴としている。
【０００７】
前記係合爪部と前記係合溝部の係合領域の内部に入り込んだ前記展示対象商品の舌部を前記係合爪部と前記雌側基部が挟持してもよい。
【０００８】
前記雄部材は、係合突起を有し、前記展示対象商品とは別の展示対象商品の係合孔に前記係合突起が係合されるとともに、前記別の展示対象商品が前記雄側基部に巻き付けられてもよい。
【考案の効果】
【０００９】
本考案によれば、展示対象商品を強固に固定することができる商品展示具用固定具を提供することができる。
【図面の簡単な説明】
【００１０】
【図１】雄部材の単体構造を示す斜視図である。
【図２】雌部材の単体構造を示す斜視図である。
【図３】雌部材を第１の展示対象商品に組み付ける様子を示す斜視図である。
【図４】雌部材を第１の展示対象商品に組み付けた状態を示す斜視図である。
【図５】雄部材を第２の展示対象商品に組み付けた状態を示す斜視図である。
【図６】第１の展示対象商品を組み付けた雌部材と第２の展示対象商品を組み付けた雄部材を固定する様子を示す斜視図である。
【図７】図６の固定状態を示す平面図である。
【考案を実施するための形態】
【００１１】
図１〜図７を参照して、本実施形態による商品展示具用固定具１０について説明する。以下の説明における前、後、上、下、左、右の各方向は、図中に示した矢線方向を基準とする。
【００１２】
商品展示具用固定具１０は、雄部材２０と雌部材３０を有しており、この雄部材２０と雌部材３０が協働して、第１の展示対象商品（展示対象商品）４０と第２の展示対象商品（別の展示対象商品）５０を固定状態で展示するものである。雄部材２０と雌部材３０は、例えば、プラスチック材料から構成された一体成形品である。雄部材２０と雌部材３０は、同一材料から構成されていてもよいし、別材料から構成されていてもよい。第１の展示対象商品４０と第２の展示対象商品５０は、例えば、商品自体、商品サンプル、商品の広告表示としてのボード等である。第１の展示対象商品４０と第２の展示対象商品５０は、両者が独立して機能してもよいし、両者が協働して機能してもよい。本実施形態では、第１の展示対象商品４０と第２の展示対象商品５０が、一定の強度を持って形状を維持できるとともに折り曲げ性を併せ持つ厚紙（例えば段ボール）で構成されている場合を例示して説明する。
【００１３】
図１に示すように、雄部材２０は、前後方向に相対的に長く上下方向に相対的に短い板状の雄側基部２１を有している。雄側基部２１の後端部には、左右方向に所定の長さを持って上下方向に延びる係合爪部２２が形成されている。雄側基部２１の右側面には、上下方向に延びる係合突起２３が形成されている。
【００１４】
図２に示すように、雌部材３０は、上下方向に相対的に長く左右方向に相対的に短い板状の雌側基部３１を有している。雌側基部３１の中央部には、中空部３２が形成されており、この中空部３２が上下方向に延びるリブ部３３によって左右に区画されている。中空部３２とリブ部３３の左右両側には、上下方向に延びて前方に突出する一対のアーチ部３４が形成されており、一対のアーチ部３４の下端部どうしが接続壁３５によって繋がれている。一対のアーチ部３４の前後方向の中間部には、互いに接近するように左右方向に延びる一対の接近壁３６が形成されており、一対の接近壁３６と雌側基部３１（中空部３２とリブ部３３）との間に係合溝部３７が形成されている。係合溝部３７のサイズは、雄部材２０の係合爪部２２より若干大きく設定されている。雌部材３０のアーチ部３４と接続壁３５と接近壁３６は、後述する第１の展示対象商品の挿入孔４１に挿入する「挿入部」を構成する。
【００１５】
図３に示すように、第１の展示対象商品４０は、上下方向に相対的に長く左右方向に相対的に短い板状をなしており、雌部材３０の雌側基部３１より大きな表面積を有している。第１の展示対象商品４０は、左上領域に位置させて、上下方向に延びる挿入孔４１を有している。挿入孔４１のサイズは、雌部材３０の「挿入部」を構成するアーチ部３４と接続壁３５と接近壁３６のサイズより若干大きく設定されている。挿入孔４１の上端部には、下方に延出する舌部４２が形成されている。舌部４２のサイズは、雌部材３０の係合溝部３７よりも若干小さく設定されている。
【００１６】
図３、図４に示すように、雌部材３０を第１の展示対象商品４０に組み付ける際には、第１の展示対象商品４０の挿入孔４１に雌部材３０の「挿入部」を構成するアーチ部３４と接続壁３５と接近壁３６を挿入し、且つ、第１の展示対象商品４０の舌部４２を雌部材３０の係合溝部３７に入り込ませる。これにより、第１の展示対象商品４０が雌部材３０に固定される。
【００１７】
図５に示すように、第２の展示対象商品５０は、上下方向に相対的に長く前後方向に相対的に短い板状をなしており、前後方向に延びる折り曲げ線に沿って折り曲げ可能に構成されている。第２の展示対象商品５０は、雄部材２０の係合突起２３に対応する形状（雄部材２０の係合突起２３より若干大きい形状）の係合孔５１を有している。第２の展示対象商品５０の係合孔５１に雄部材２０の係合突起２３が係合されるとともに、第２の展示対象商品５０が雄部材２０の雄側基部２１に巻き付けられることで、第２の展示対象商品５０が雄部材２０に固定される。
【００１８】
図６に示すように、雄部材２０の係合爪部２２を雌部材３０の係合溝部３７に係合することで、第１の展示対象商品４０を固定した雌部材３０と、第２の展示対象商品５０を固定した雄部材２０とが固定される。その際、雄部材２０の雄側基部２１と雌部材３０の雌側基部３１が第１の展示対象商品４０を挟んだ互いに反対側に位置することで、雄部材２０と雌部材３０の間に第１の展示対象商品４０が固定される。しかも、図７に示すように、雄部材２０の係合爪部２２と雌部材３０の係合溝部３７の係合領域の内部に入り込んだ第１の展示対象商品４０の舌部４２を、雄部材２０の係合爪部２２と雌部材３０の雌側基部３１が挟持する。これにより、第１の展示対象商品４０を雄部材２０と雌部材３０の間に強固に固定することができる。
【００１９】
また、上述したように、第２の展示対象商品５０の係合孔５１に雄部材２０の係合突起２３が係合されるとともに、第２の展示対象商品５０が雄部材２０の雄側基部２１に巻き付けられることで、第２の展示対象商品５０が雄部材２０に固定される。これにより、第２の展示対象商品５０を雄部材２０に強固に固定することができる。
【００２０】
本考案は上記の実施形態に限定されるものではなく、本考案の技術的思想の趣旨を逸脱しない範囲において様々に変更、置換、変形されてもよい。さらには、技術の進歩又は派生する別技術によって、本考案の技術的思想を別の仕方で実現することができれば、その方法を用いて実施されてもよい。したがって、実用新案登録請求の範囲は、本考案の技術的思想の範囲内に含まれ得る全ての実施形態をカバーしている。
【符号の説明】
【００２１】
１０  商品展示具用固定具
２０  雄部材
２１  雄側基部
２２  係合爪部
２３  係合突起
３０  雌部材
３１  雌側基部
３２  中空部
３３  リブ部
３４  アーチ部（挿入部）
３５  接続壁（挿入部）
３６  接近壁（挿入部）
３７  係合溝部
４０  第１の展示対象商品（展示対象商品）
４１  挿入孔
４２  舌部
５０  第２の展示対象商品（別の展示対象商品）
５１  係合孔
【図１】
0003226215.tif 000003
【図２】
0003226215.tif 000004
【図３】
0003226215.tif 000005
【図４】
0003226215.tif 000006
【図５】
0003226215.tif 000007
【図６】
0003226215.tif 000008
【図７】
0003226215.tif 000009